(57)【要約】 【課題】無線通信システムにおいて、上りリンク信号を送信する端末のための方法及び装置に関する。【解決手段】ＵＥは第１上りリンクグラント情報及び第１上りリンクグラント情報に連関する論理チャネル優先順位情報を受信する。ＵＥは論理チャネル優先順位情報に対応する第１論理チャネル優先順位を有する１つ以上の無線ベアラ(ｒａｄｉｏ ｂｅａｒｅｒ)からのデータを含む第１データユニットを構成する。またＵＥは第１データユニットをネットワークに送信する。【選択図】図５
2019530358.tif 000002
【特許請求の範囲】
【請求項１】
無線通信システムにおいて、端末(ＵＥ)により上りリンク信号を送信する方法であって、
第１上りリンクグラント情報及び前記第１上りリンクグラント情報に連関する論理チャネル優先順位情報を受信する段階と、
前記論理チャネル優先順位情報に対応する第１論理チャネル優先順位を有する１つ以上の無線ベアラからのデータを含む第１データユニットを構成する段階と、
前記第１データユニットをネットワークに送信する段階と、を含む、上りリンク信号の伝送方法。
【請求項２】
前記第１論理チャネル優先順位を有する１つ以上の無線ベアラからのデータを含んだ後にも、前記第１データユニット内に残余空間が存在すると、前記第１データユニットはさらに、前記第１論理チャネル優先順位の次に高い論理チャネル優先順位を有する無線ベアラからのデータを含む、請求項１に記載の上りリンク信号の伝送方法。
【請求項３】
前記第１論理チャネル優先順位を有する１つ以上の無線ベアラからのデータを含んだ後にも前記第１データユニット内に残余空間が存在すると、前記第１データユニットはさらにパディングを含む、請求項１に記載の上りリンク信号の伝送方法。
【請求項４】
前記論理チャネル優先順位情報はＰＤＣＣＨを介して受信される、請求項１に記載の上りリンク信号の伝送方法。
【請求項５】
前記論理チャネル優先順位情報はＰＤＳＣＨを介してＭＡＣ  ＣＥ(Ｃｏｎｔｒｏｌ Ｅｌｅｍｅｎｔ)のフォーマット内で受信される、請求項１に記載の上りリンク信号の伝送方法。
【請求項６】
前記第１上りリンクグラント情報を受信する段階は、多数の上りリンクグラントと各々連関した多数の論理チャネル優先順位情報を受信する段階を含む、請求項１に記載の上りリンク信号の伝送方法。
【請求項７】
前記第１上りリンクグラント情報を受信する段階は、前記第１上りリンクグラントに連関した多数の論理チャネル優先順位情報を受信する段階を含む、請求項１に記載の上りリンク信号の伝送方法。
【請求項８】
無線通信システムにおいて、上りリンク信号を送信する端末(ＵＥ)であって、
第１上りリンクグラント情報及び前記第１上りリンクグラント情報に連関する論理チャネル優先順位情報を受信するように構成された送受信器と、
前記論理チャネル優先順位情報に対応する第１論理チャネル優先順位を有する１つ以上の無線ベアラ(ｒａｄｉｏ ｂｅａｒｅｒ)からのデータを含む第１データユニットを構成するように構成されたプロセッサと、を含む、端末。
【請求項９】
前記第１論理チャネル優先順位を有する１つ以上の無線ベアラからのデータを含んだ後にも前記第１データユニット内に残余空間が存在すると、
前記プロセッサは、前記第１データユニット内に、前記第１論理チャネル優先順位の次に高い論理チャネル優先順位を有する無線ベアラからのデータをさらに含む、請求項８に記載の端末。
【請求項１０】
前記第１論理チャネル優先順位を有する１つ以上の無線ベアラからのデータを含んだ後にも前記第１データユニット内に残余空間が存在すると、
前記プロセッサは、前記第１データユニット内に、パディング(ｐａｄｄｉｎｇ)をさらに含む、請求項８に記載の端末。
【請求項１１】
前記送受信器は前記論理チャネル優先順位情報をＰＤＣＣＨを介して受信する、請求項８に記載の端末。
【請求項１２】
前記送受信器は前記論理チャネル優先順位情報をＰＤＳＣＨを介してＭＡＣ  ＣＥ(Ｃｏｎｔｒｏｌ Ｅｌｅｍｅｎｔ)のフォーマット内で受信する、請求項８に記載の端末。
【請求項１３】
前記送受信器は、多数の上りリンクグラントと各々連関された多数の論理チャネル優先順位情報を受信するように構成される、請求項８に記載の端末。
【請求項１４】
前記送受信器は、前記第１上りリンクグラントに連関する多数の論理チャネル優先順位情報を受信するように構成される、請求項８に記載の端末。
【発明の詳細な説明】
【技術分野】
【０００１】
本発明は無線通信システムにおいて、上りリンク信号伝送に関する。より詳しくは、本発明は特定の論理チャネル優先順位に連関するＵＬグラントに基づいて上りリンク信号を伝送する方法及び装置に関する。
【背景技術】
【０００２】
本発明が適用可能な移動通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ、以下 ＬＴＥという)通信システムについて簡単に説明する。
【０００３】
図１はＥ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎ Ｓｙｓｔｅｍ)の網構造を示すブロック図である。Ｅ−ＵＭＴＳはＬＴＥシステムとも呼ばれる。通信網はＩＭＳ及びパケットデータを通じたＶｏＩＰ(Ｖｏｉｃｅ ｏｖｅｒ ＩＰ)のような様々な通信サービスを提供するために広く配置される。
【０００４】
図１に示したように、Ｅ−ＵＭＴＳ網は、Ｅ−ＵＴＲＡＮ(Ｅｖｏｌｖｅｄ ＵＭＴＳ Ｔｅｒｒｅｓｔｒｉａｌ Ｒａｄｉｏ Ａｃｃｅｓｓ Ｎｅｔｗｏｒｋ)、ＥＰＣ(Ｅｖｏｌｖｅｄ Ｐａｃｋｅｔ Ｃｏｒｅ)及び１つ以上の端末を含む。Ｅ−ＵＴＲＡＮは１つのセルに位置できる１つ以上のｅＮＢ(ｅｖｏｌｖｅｄ ＮｏｄｅＢ、２０)及び複数の端末１０を含む。１つ以上のＥ−ＵＴＲＡＮ ＭＭＥ(Ｍｏｂｉｌｉｔｙ Ｍａｎａｇｅｍｅｎｔ Ｅｎｔｉｔｙ)／ＳＡＥ(Ｓｙｓｔｅｍ Ａｒｃｈｉｔｅｃｔｕｒｅ Ｅｖｏｌｕｔｉｏｎ)のゲートウェイ３０は、ネットワークの終端に位置して外部ネットワークに転結される。
【０００５】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ Ｓｔａｔｉｏｎ、ＭＳ）、ユーザ端末（Ｕｓｅｒ Ｔｅｒｍｉｎａｌ、ＵＴ）、加入者ステーション（Ｓｕｂｓｃｒｉｂｅｒ Ｓｔａｔｉｏｎ、ＳＳ）又は無線デバイスと称することもできる。
【０００６】
図２は、一般的なＥ―ＵＴＲＡＮとＥＰＣの構造を示すブロック図である。
【０００７】
図２に示したように、ｅＮＢ２０は、ユーザ平面及び制御平面のエンドポイント（ｅｎｄ ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インタフェースを介して接続することができる。
【０００８】
ｅＮＢ２０は、一般にＵＥ１０と通信する固定局であって、基地局（ＢＳ）又はアクセスポイント（ａｃｃｅｓｓ ｐｏｉｎｔ）と称することもある。一つのｅＮＢ２０はセルごとに配置することができる。ユーザトラフィック又は制御トラフィックを送信するためのインタフェースをｅＮＢ２０間で使用することができる。
【０００９】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ ｍｏｄｅ）ＵＥ接近性（Ｒｅａｃｈａｂｉｌｉｔｙ）、（遊休モード及び活性モード（ａｃｔｉｖｅ ｍｏｄｅ）のＵＥのための）トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ Ｉｎｔｅｒｃｅｐｔｉｏｎ）、ＵＥ ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００１０】
複数のノードは、ｅＮＢ２０とゲートウェイ３０との間でＳ１インタフェースを介して接続することができる。各ｅＮＢ２０は、Ｘ２インタフェースを介して相互接続することができ、各隣接ｅＮＢは、Ｘ２インタフェースを有するメッシュネットワーク構造（ｍｅｓｈｅｄ ｎｅｔｗｏｒｋ ｓｔｒｕｃｔｕｒｅ）を有することができる。
【００１１】
図２に示したように、ｅＮＢ２０は、ゲートウェイ３０に対する選択、無線リソース制御（Ｒａｄｉｏ Ｒｅｓｏｕｒｃｅ Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割り当て、ｅＮＢ測定の構成及び準備、無線ベアラ制御、無線承認制御（Ｒａｄｉｏ Ａｄｍｉｓｓｉｏｎ Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ Ａｒｃｈｉｔｅｃｔｕｒｅ Ｅｖｏｌｕｔｉｏｎ、ＳＡＥ）ベアラ制御、及び非―接続層（Ｎｏｎ―Ａｃｃｅｓｓ Ｓｔｒａｔｕｍ、ＮＡＳ）シグナリングの暗号化及び無欠性保護などの各機能を行うことができる。
【００１２】
ＥＰＣは、移動性管理エンティティー（Ｍｏｂｉｌｉｔｙ Ｍａｎａｇｅｍｅｎｔ Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ Ｄａｔａ Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００１３】
図３は、３ＧＰＰ無線接続網規格を基盤にした端末とＥ―ＵＴＲＡＮとの間の無線インタフェースプロトコルの制御平面及びユーザ平面の構造を示す図である。制御平面は、端末（Ｕｓｅｒ Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００１４】
第１層である物理層は、物理チャネル（Ｐｈｙｓｉｃａｌ Ｃｈａｎｎｅｌ）を用いて上位層に情報送信サービス（Ｉｎｆｏｒｍａｔｉｏｎ Ｔｒａｎｓｆｅｒ Ｓｅｒｖｉｃｅ）を提供する。物理層は、上位にある媒体接続制御（Ｍｅｄｉｕｍ Ａｃｃｅｓｓ Ｃｏｎｔｒｏｌ）層とは送信チャネル（Ｔｒａｎｓｐｏｒｔ Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）方式で変調され、上りリンクでＳＣ―ＦＤＭＡ（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ）方式で変調される。
【００１５】
第２層の媒体接続制御（Ｍｅｄｉｕｍ Ａｃｃｅｓｓ Ｃｏｎｔｒｏｌ；ＭＡＣ）層は、論理チャネル（Ｌｏｇｉｃａｌ Ｃｈａｎｎｅｌ）を介して上位層である無線リンク制御（Ｒａｄｉｏ Ｌｉｎｋ Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ Ｄａｔａ Ｃｏｎｖｅｒｇｅｎｃｅ Ｐｒｏｔｏｃｏｌ）層は、帯域幅の狭い無線インタフェースでＩＰバージョン４（ＩＰ ｖｅｒｓｉｏｎ ４、ＩＰｖ４）パケットやＩＰバージョン６（ＩＰｖ６）パケットのようなＩＰ（ｉｎｔｅｒｎｅｔ ｐｒｏｔｏｃｏｌ）パケットを効率的に送信するために不必要な制御情報を減少させるヘッダー圧縮（Ｈｅａｄｅｒ Ｃｏｍｐｒｅｓｓｉｏｎ）機能を行う。
【００１６】
第３層の最下部に位置した無線リソース制御（Ｒａｄｉｏ Ｒｅｓｏｕｒｃｅ Ｃｏｎｔｒｏｌ；ＲＲＣ）層は、制御平面のみで定義される。ＲＲＣ層は、各無線ベアラ（Ｒａｄｉｏ Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００１７】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００１８】
Ｅ―ＵＴＲＡＮから端末への送信のための下りリンク送信チャネル（Ｄｏｗｎｌｉｎｋ ｔｒａｎｓｐｏｒｔ Ｃｈａｎｎｅｌ）は、システム情報を送信するＢＣＨ（Ｂｒｏａｄｃａｓｔ Ｃｈａｎｎｅｌ）、各ページングメッセージを送信するＰＣＨ（Ｐａｇｉｎｇ Ｃｈａｎｎｅｌ）、及びユーザトラフィック又は各制御メッセージを送信するための下りリンク共有チャネル（Ｓｈａｒｅｄ Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ Ｃｈａｎｎｅｌ）を介して送信することもできる。
【００１９】
端末からネットワークにデータを送信する上りリンク送信チャネルとしては、初期制御メッセージを送信するＲＡＣＨ（Ｒａｎｄｏｍ Ａｃｃｅｓｓ Ｃｈａｎｎｅｌ）と、その他にユーザトラフィックや制御メッセージを送信する上りリンクＳＣＨ（Ｓｈａｒｅｄ Ｃｈａｎｎｅｌ）とがある。送信チャネルの上位にあり、送信チャネルにマップされる論理チャネルとしては、ＢＣＣＨ（Ｂｒｏａｄｃａｓｔ Ｃｏｎｔｒｏｌ Ｃｈａｎｎｅｌ）、ＰＣＣＨ（Ｐａｇｉｎｇ Ｃｏｎｔｒｏｌ Ｃｈａｎｎｅｌ）、ＣＣＣＨ（Ｃｏｍｍｏｎ Ｃｏｎｔｒｏｌ Ｃｈａｎｎｅｌ）、ＭＣＣＨ（Ｍｕｌｔｉｃａｓｔ Ｃｏｎｔｒｏｌ Ｃｈａｎｎｅｌ）、及びＭＴＣＨ（Ｍｕｌｔｉｃａｓｔ Ｔｒａｆｆｉｃ Ｃｈａｎｎｅｌ）などがある。
【００２０】
図４はＬＴＥシステムにおいてＵＥによる上りリンク伝送を示す。
【００２１】
ＬＴＥにおいて、ＵＥが上りリンクにデータを伝送する時、まずバッファー状態報告(ＢＳＲ：Ｂｕｆｆｅｒ Ｓｔａｔｕｓ Ｒｅｐｏｒｔ)をｅＮＢに伝送してＵＬグラントを要請する(Ｓ４１０)。ＵＥからのバッファー状態報告に基づいて、ｅＮＢはＰＤＣＣＨシグナリングによりＵＥにＵＬグラントを割り当てる(Ｓ４２０)。ＰＤＣＣＨは様々なフォーマットを使用する様々な下りリンク制御情報(ＤＣＩ)を含み、そのうちＤＣＩフォーマット０はＵＥにＵＬグラントを割り当てるために使用される。
【発明の概要】
【発明が解決しようとする課題】
【００２２】
従来技術の問題点は、ＵＥの全てのＲＢに対してＵＬグラントが割り当てられ、特定の論理チャネル優先順位を有するＲＢに対して受信されたＵＬグラントをＵＥが使用することが保障できないことにある。ＲＢスケジューリングの精密な制御のために、特定の論理チャネル優先順位を有するＲＢに対してのみＵＬグラントを使用するメカニズムを考える必要がある。
【課題を解決するための手段】
【００２３】
本発明の目的及び他の長所を達成するために、この明細書で具体化して広範囲に説明したように、無線通信システムにおいて、上りリンク信号を送信する端末(ＵＥ)のための方法が提供される。方法は、第１上りリンクグラント情報及び第１上りリンクグラント情報に連関する論理チャネル優先順位情報を受信する段階、論理チャネル優先順位情報に対応する第１論理チャネル優先順位を有する１つ以上の無線ベアラ(ｒａｄｉｏ ｂｅａｒｅｒ)からのデータを含む第１データユニットを構成する段階、及び第１データユニットをネットワークに送信する段階を含む。
【００２４】
第１論理チャネル優先順位を有する１つ以上の無線ベアラからのデータを含んだ後にも、第１データユニット内に残余空間が存在すると、第１データユニットはさらに、第１論理チャネル優先順位の次に高い論理チャネル優先順位を有する無線ベアラからのデータを含む。
【００２５】
その代わりに、第１論理チャネル優先順位を有する１つ以上の無線ベアラからのデータを含んだ後にも第１データユニット内に残余空間が存在すると、第１データユニットはさらにパディング(ｐａｄｄｉｎｇ)を含む。
【００２６】
論理チャネル優先順位情報はＰＤＣＣＨ(Ｐｈｙｓｉｃａｌ Ｄｏｗｎｌｉｎｋ Ｃｏｎｔｒｏｌ Ｃｈａｎｎｅｌ)を介して受信される。
【００２７】
その代わりに、論理チャネル優先順位情報はＰＤＳＣＨ(Ｐｈｙｓｉｃａｌ Ｄｏｗｎｌｉｎｋ Ｓｈａｒｅｄ Ｃｈａｎｎｅｌ)を介してＭＡＣ(Ｍｅｄｉｕｍ Ａｃｃｅｓｓ Ｃｏｎｔｒｏｌ) ＣＥ(Ｃｏｎｔｒｏｌ Ｅｌｅｍｅｎｔ)のフォーマット内で受信される。
【００２８】
これに関連して、第１上りリンクグラント情報を受信する段階は、多数の上りリンクグラントと各々連関した多数の論理チャネル優先順位情報を受信する段階を含む。
【００２９】
その代わりに、第１上りリンクグラント情報を受信する段階は、第１上りリンクグラントに連関した多数の論理チャネル優先順位情報を受信する段階を含む。
【００３０】
本発明の他の態様において、無線通信システムにおいて、上りリンク信号を送信する端末(ＵＥ)が提供され、ＵＥは第１上りリンクグラント情報及び第１上りリンクグラント情報に連関する論理チャネル優先順位情報を受信するように構成された送受信器、及び論理チャネル優先順位情報に対応する第１論理チャネル優先順位を有する１つ以上の無線ベアラ(ｒａｄｉｏ ｂｅａｒｅｒ)からのデータを含む第１データユニットを構成するように構成されたプロセッサを含む。
【００３１】
第１論理チャネル優先順位を有する１つ以上の無線ベアラからのデータを含んだ後にも第１データユニット内に残余空間が存在すると、プロセッサは、第１データユニット内に、第１論理チャネル優先順位の次に高い論理チャネル優先順位を有する無線ベアラからのデータをさらに含む。
【００３２】
その代わりに、第１論理チャネル優先順位を有する１つ以上の無線ベアラからのデータを含んだ後にも第１データユニット内に残余空間が存在すると、プロセッサは、第１データユニット内に、パディング(ｐａｄｄｉｎｇ)をさらに含む。
【００３３】
送受信器は論理チャネル優先順位情報をＰＤＣＣＨ(Ｐｈｙｓｉｃａｌ Ｄｏｗｎｌｉｎｋ Ｃｏｎｔｒｏｌ Ｃｈａｎｎｅｌ)を介して受信する。
【００３４】
その代わりに、送受信器は論理チャネル優先順位情報をＰＤＳＣＨ(Ｐｈｙｓｉｃａｌ Ｄｏｗｎｌｉｎｋ Ｓｈａｒｅｄ Ｃｈａｎｎｅｌ)を介してＭＡＣ(Ｍｅｄｉｕｍ Ａｃｃｅｓｓ Ｃｏｎｔｒｏｌ) ＣＥ(Ｃｏｎｔｒｏｌ Ｅｌｅｍｅｎｔ)のフォーマット内で受信する。
【００３５】
送受信器は、多数の上りリンクグラントと各々連関された多数の論理チャネル優先順位情報を受信するように構成される。
【００３６】
或いは、送受信器は、第１上りリンクグラントに連関する多数の論理チャネル優先順位情報を受信するように構成される。
【発明の効果】
【００３７】
本発明の実施例によれば、特定論理チャネルの優先順位を有するＲＢに対してのみＵＬグラントを使用するメカニズムにより、ＲＢスケジューリングの精密な制御を実現できる。
【図面の簡単な説明】
【００３８】
本明細書に添付する図面は本発明に対する理解を提供するためのものであり、本発明の多様な実施形態を示し、本発明の説明とともに本発明の原理を説明するためのものである。
【００３９】
【図１】Ｅ−ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。
【図２】典型的なＥ−ＵＴＲＡＮ及び典型的なＥＰＣの構造を示すブロック図である。
【図３】３ＧＰＰ無線アクセスネットワーク標準に基づくＵＥとＥ−ＵＴＲＡＮの間の無線インタフェースプロトコルの制御平面及びユーザ平面を示す図である。
【図４】ＬＴＥシステムにおいてＵＥによる上りリンク伝送を示す図である。
【図５】ＬＴＥによるリソース割り当てを説明する図である。
【図６】特定論理チャネルの優先順位情報を有するＵＬグラントの概念を示す図である。
【図７】ＱｏＳ ＢＳＲの例を示す図である。
【図８】本発明の一実施例による通信装置を示すブロック図である。
【図９】本発明の一実施例による端末の構成を示す概略図である。
【発明を実施するための形態】
【００４０】
以下、添付図面を参照しながら本発明の好ましい実施例について詳しく説明する。以下では添付図面を参照して詳しく説明するが、これは本発明により具現される唯一な実施例ではなく、本発明の例示的な実施例である。
【００４１】
以下の詳しい説明は、本発明に対する完全な理解を提供するための特定細部事項を含む。しかし、本発明がこのような特定細部事項なしにも実施できることが当業者にとって明らかであろう。一部の場合、本発明の概念を曖昧にしないために、構造及び装置の重要な特徴に焦点を合わせて、公知の構造及び装置は省略するか又はブロック図の形態で示すこともある。
【００４２】
上述したように、ＬＴＥによれば、ＵＬグラントはＵＥの全てのＲＢに割り当てられ、ＵＥが特定の論理チャネル優先順位を有するＲＢに対して受信されたＵＬグラントを使用することが保障されない。
【００４３】
図５はＬＴＥによるリソース割り当てを説明するための図である。
【００４４】
ＵＥが上りリンク信号を送信しようとする時、ＵＥのＭＡＣはＭＡＣ内の多重化及びアセンブリエンティティーの動作に基づいてデータユニット(例えば、ＭＡＣ ＰＤＵ)を構成することができる。図５に示したように、ＬＴＥによるＵＥのＭＡＣは最高の論理チャネル優先順位(例えば、第１論理チャネル優先順位)(Ａ)を有するデータからのデータユニットを構成する。最高の論理チャネル優先順位を含んだ後、データユニット内に残っているリソースが存在する時、ＵＥのＭＡＣは降順に次に高い論理チャネル優先順位(Ｂ)を有するデータをさらに含む。
【００４５】
ＵＥのＭＡＣの特定動作は以下の通りである。以下、論理的チャネル優先順位に関する多重化及びアセンブリエンティティーの作動について説明する。
【００４６】
新しい送信が行われる時、論理チャネル優先順位化の手順が適用される。ＲＲＣは各論理チャネルに対するシグナリングにより上りリンクデータのスケジューリングを制御する：ｐｒｉｏｒｉｔｙ；増加する優先順位値は低い優先順位レベルを示す；優先順位化されたビットレート(ＰＢＲ)を設定するｐｒｉｏｒｉｔｉｓｅｄＢｉｔＲａｔｅ、バケットサイズ区間(ＢＳＤ)を設定するｂｕｃｋｅｔＳｉｚｅＤｕｒａｔｉｏｎ。
【００４７】
ＭＡＣエンティティーは各論理チャネルｊに対する変数Ｂｊを維持することができる。関連する論理チャネルが設定される時、Ｂｊは０に初期化され、各ＴＴＩに対して積ＰＢＲ＊ＴＴＩ区間ほど増加し、ここで、ＰＢＲは論理チャネルｊの優先順位化されたビットレートである。しかし、Ｂｊの値はバケットサイズを超えてはならず、Ｂｊの値が論理チャネルｊのバケットサイズより大きい時、これはバケットサイズに設定されることができる。論理チャネルのバケットサイズはＰＢＲ＊ＢＳＤと同一であり、ここでＰＢＲとＢＳＤは上位階層により設定される。
【００４８】
新しい送信が行われる時、ＭＡＣエンティティーは以下の論理チャネル優先順位化の手順を行う：
【００４９】
−ＭＡＣエンティティーは以下の段階により論理チャネルにリソースを割り当てることができる：
【００５０】
−段階１：Ｂｊ＞０である全ての論理チャネルは減少する優先順位でリソースが割り当てられる。論理チャネルのＰＢＲが"無限大"に設定されると、ＭＡＣエンティティーは優先順位が低い論理チャネルのＰＢＲを満たす前に、論理チャネルを介した送信に使用可能な全てのデータに対するリソースを割り当てることができる。
【００５１】
−段階２：ＭＡＣエンティティーは段階１で論理チャネルｊにサービスされたＭＡＣ ＳＤＵの総サイズほどＢｊを減少させる。
【００５２】
Ｂｊの値は負数であることができる。
【００５３】
段階３：任意のリソースが残っている場合、全ての論理チャネルには、どっちか早いほうの、該当論理チャネルに対するデータ又はＵＬグラントが消耗されるまで(Ｂｊの値に関係なく)、厳しく減少する優先順位が提供される。同一の優先順位に設定された論理的チャネルには同等なサービスが提供されるべきである。
【００５４】
−またＵＥは以上のスケジューリング手順の間に以下の規則に従う。
【００５５】
−全体ＳＤＵ(又は部分的に送信されたＳＤＵ又は再送信されたＲＬＣ ＰＤＵ)が関連ＭＡＣエンティティーの残留リソースに適合する時、ＵＥはＲＬＣ ＳＤＵ(又は部分的に送信されたＳＤＵ又は再送信されたＲＬＣ ＰＤＵ)をセグメントしてはいけない；
【００５６】
−ＵＥが論理チャネルからＲＬＣ ＳＤＵをセグメントする場合、ＵＥは、連関したＭＡＣエンティティーのグラントをできる限り多く満たすために、セグメントのサイズを最大化することができる；
【００５７】
−ＵＥはデータ送信を最大にしなければならない；
【００５８】
−送信のために利用可能なデータを有いている間、ＭＡＣエンティティーに４バイトより大きいか又は等しいＵＬグラントサイズが与えられた場合、(ＵＬグラントのサイズが７バイトより小さくＡＭＤ ＰＤＵセグメントが送信される必要がある場合ではない限り)、ＭＡＣエンティティーはパディングＢＳＲ及び／又はパディングのみを送信しないことができる。
【００５９】
ＭＡＣエンティティーは一時中止された無線ベアラに対応する論理チャネルに対するデータを送信しないことができる。
【００６０】
論理チャネル優先順位化の手順において、ＭＡＣエンティティーは減少する順に以下のような相対的優先順位を考慮できる：
【００６１】
−Ｃ−ＲＮＴＩのためのＭＡＣ制御要素又はＵＬ−ＣＣＣＨからのデータ；
【００６２】
−パディングのために含まれたＢＳＲは除外して、ＢＳＲのためのＭＡＣ制御要素；
【００６３】
−ＰＨＲ、拡張されたＰＨＲ又は二重連結ＰＨＲのためのＭＡＣ制御要素；
【００６４】
−パディングのためのサイドリンクＢＳＲは除外して、サイドリンクＢＳＲのためのＭＡＣ制御要素
【００６５】
−ＵＬ−ＣＣＣＨからのデータは除外して、任意の論理チャネルからのデータ；
【００６６】
−パディングのために含まれたＢＳＲのためのＭＡＣ制御要素；
【００６７】
−パディングのために含まれたサイドリンクＢＳＲのためのＭＡＣ制御要素
【００６８】
ＭＡＣエンティティーが１つのＴＴＩにおいて多数のＭＡＣ ＰＤＵを送信するように要請された場合、段階１〜３及び関連規則は、各々のグラントに独立して適用されるか又はグラント容量の和に適用される。また、グラントが処理される順序はＵＥの具現による。ＭＡＣエンティティーが１つのＴＴＩにおいて多数のＭＡＣ ＰＤＵを送信するように要請された場合、どのＭＡＣ ＰＤＵ内にＭＡＣ制御要素が含まれるかを決定することは、ＵＥの具現による。ＵＥが１つのＴＴＩにおいて２つのＭＡＣエンティティー内でＭＡＣ ＰＤＵを生成するように要請された場合、グラントが処理される順序はＵＥの具現による。
【００６９】
ＵＥが特定の論理チャネル優先順位を有するＲＢに対するＵＬグラントを使用するために、ｅＮＢがＵＥにＵＬグラントを割り当てる時、ｅＮＢはＵＬグラントを使用可能な特定の論理チャネル優先順位を示すことが提案される。ＵＥはＵＬグラント及び特定の論理チャネル優先順位表示情報(ｉｎｄｉｃａｔｉｏｎ)を受信すると、ＵＥは表示された優先順位を有するＲＢからのデータのみを含むＰＤＵを構成でき、ＵＬグラントを使用してｅＮＢにＰＤＵを送信する。
【００７０】
図６は特定の論理チャネル優先順位情報を有するＵＬグラントの概念を示す図である。
【００７１】
図６に示したように、特定の論理チャネル優先順位情報と共に上りリンクグラントが受信されると、ＵＥは受信された論理チャネル優先順位情報(Ａ)に対応するｋ番目の論理チャネル優先順位を有する１つ以上のＲＢからのデータからＰＤＵを構成することができる。
【００７２】
ＵＥが論理チャネル優先順位情報なしにＵＬグラントを受信すると、ＵＥは最高ＱｏＳを有するＲＢからのデータのみを含むＰＤＵを構成し、ＵＬグラントを使用してｅＮＢにＰＤＵを送信することができる。
【００７３】
表示された優先順位を有するＲＢからのデータを含んだ後、ＵＬグラントに残余空間があれば、ＵＥは残余空間を、図６に示したように、参照符号Ｂを有する次の低い優先順位を有するＲＢからのデータで満たすことができる。しかし、ＵＥは残余空間を以下のうち、いずれか１つで満たすこともできる：
【００７４】
−パディング
【００７５】
−次に優先順位が高いＲＢからのデータ
【００７６】
−次に優先順位が低いＲＢからのデータ
【００７７】
この実施例において、ＵＬグラントは論理チャネル優先順位情報と共に受信される。一方、ＵＬグラントはＱｏＳクラス識別子、ＲＢ優先順位などと共に受信される。他の類型の情報が上記論理チャネル優先順位情報としての対応する役割を果たすことができる。
【００７８】
ＲＢが設定される時、ＵＥはｅＮＢから対応するＲＢの論理チャネル優先順位表示情報を受信する。
【００７９】
１つのＵＬグラント割り当てシグナリングにより、１つが各々の優先順位情報に対するものである、多数のＵＬグラントがＵＥに割り当てられる。ＵＥが少なくとも１つのＵＬグラント及び優先順位表示情報セットを受信すると、ＵＥは、各々が優先順位表示情報に対するものである多数のＰＤＵを構成し、各々のＵＬグラントを使用して多数のＰＤＵを送信する。
【００８０】
ＵＬグラント及び優先順位表示情報のシグナリングのために、２つの実施例がある。２つの実施例は同一に使用できるが、例えば、実施例１は１つの論理チャネル優先順位に対してのみ使用され、実施例２は多数の論理チャネル優先順位に対して使用される。
【００８１】
実施例１：ＰＤＣＣＨはＵＬグラント及び論理チャネル優先順位表示情報を含む(ＰＨＹシグナリングによる割り当て)
【００８２】
ＬＴＥにおいて、ＵＬグラントはＤＣＩフォーマット０(即ち、リソースブロック割り当て及びホッピングリソース割り当て)に予め含まれている。
【００８３】
この実施例において、優先順位表示情報はまたＤＣＩフォーマット０に含まれる。優先順位表示フィールドの長さは１つのＵＥが支援する論理チャネル優先順位の最大数を表示することが好ましい。ＬＴＥにおいて、論理チャネル優先順位の最大数は８であり、この場合、優先順位表示フィールドは３ビットでなければならない。
【００８４】
１つのＰＤＣＣＨシグナリングにより多数のＵＬグラントを割り当てるために、ＵＬグラント及び優先順位表示情報の多数のセットがＰＤＣＣＨに含まれる。ＤＣＩフォーマット０はかかる多数のセットを含むように拡張されることができる。
【００８５】
実施例２：ＰＤＣＣＨはＰＤＳＣＨを表示し、ＰＤＳＣＨはＵＬグラント及び論理チャネル優先順位表示情報を含む(ＭＡＣシグナリングによる割り当て)
【００８６】
ＰＤＣＣＨにおいて利用可能なビットの数が制限されているので、１つのＰＤＣＣＨ内に多数のＵＬグラント及び優先順位表示情報セットが含まれないことができる。従って、この実施例において、ＰＤＣＣＨはＰＤＳＣＨを表示し、ＰＤＳＣＨを介して送信される下りリンクＭＡＣ ＰＤＵはＵＬグラント及び優先順位表示情報の多数のセットを含む。ＰＤＳＣＨにはＵＬグラント及び優先順位表示情報の１つのセットのみが含まれる。
【００８７】
既存のＤＣＩフォーマット１、２、３、４、５、６はそのままこのような表示のために使用されるが、これらのＤＣＩフォーマットフォーマットに特別な表示情報が追加されて、かかる特別な表示情報が、該当ＰＤＳＣＨがＵＬグラント及び優先順位表示情報を含むことを示すことができる。ＰＤＳＣＨがＵＬグラント及び優先順位表示情報を含むことを示すために、新しいＤＣＩフォーマットが導入されることができる。
【００８８】
ＰＤＳＣＨにおいて、ＵＬグラント及び優先順位表示情報のセットはＵＬグラントＭＡＣ ＣＥと呼ばれるＭＡＣ制御要素として規定できる。ＬＣＩＤはＵＬグラントＭＡＣ ＣＥに割り当てられることができる。１つのＵＬグラントＭＡＣ ＣＥは、１つのＵＬグラント及び優先順位表示情報セットを含むことができる。１つのＵＬグラントＭＡＣ ＣＥは、多数のＵＬグラント及び優先順位表示情報セットを含むことができる。
【００８９】
ＢＳＲの改善
【００９０】
本発明の他の態様において、ＢＳＲ送信が考えられる。
【００９１】
ＬＴＥにおいて、ＵＥバッファー状態はＢＳＲ ＭＡＣ ＣＥにより報告され、ここでバッファー状態は論理チャネルグループ(ＬＣＧ)ごとに報告される。各ＬＣＧは少なくとも１つの論理チャネル(ＬｏＣＨ)を有し、各ＬｏＣＨは１つのＬＣＧのみに属する。
【００９２】
ＬＴＥにおける問題点は、バッファー状態がＬｏＣＨごとではなく、ＬＣＧごとに報告されるので、ＢＳＲ ＭＡＣ ＣＥを使用して、ｅＮＢが１つの論理チャネルで正確なデータ量を分かることができないことにある。
【００９３】
なお、１つのＬｏＣＨ ＢＳＲが２バイト(即ち、５ビットＬｏＣＨ ＩＤ及び６ビットＢＳ)を要求するので、１つのＢＳＲ ＭＡＣ ＣＥにおいてＬｏＣＨごとにバッファー状態が報告されると、ＢＳＲ ＭＡＣ ＣＥのサイズがかなり増加する。
【００９４】
全般的なシステムの観点で、ｅＮＢが知るべき重要ポイントは、より高いＱｏＳを有するどのくらいのデータ量がＵＥ側における送信を待っているかである。
【００９５】
よって、特定のＱｏＳのバッファー状態を報告するメカニズムも考慮することが効率的である。
【００９６】
ＵＥがＱｏＳごとにバッファー状態を報告するために(即ち、ＱｏＳ ＢＳＲ)、ＵＥが該当ＱｏＳを有するＲＢ内の、送信に利用可能な全てのデータ量を合算することにより、ＱｏＳのバッファーサイズ(ＢＳ)、即ち、ＱｏＳ_ＢＳを計算し、計算されたＱｏＳ＿ＢＳをＱｏＳ ＩＤと共に報告することが提案される。
【００９７】
ＱｏＳ ＩＤは、様々な方式により、例えば、ＱｏＳクラス識別子(ＱＣＩ)、論理チャネル優先順位、ＲＢ優先順位などに表現できる。ＲＢが構成される時、ＵＥはｅＮＢから該当ＲＢのＱｏＳ ＩＤを受信する。
【００９８】
ＵＥは同一のＱｏＳ ＩＤを有するＲＢを１つのグループ、即ち、ＱｏＳグループとして考慮し、ＱｏＳグループ当たりのデータ量を計算して報告する。
【００９９】
ＵＥは、次のうちのいずれか１つでＱｏＳ ＢＳＲをトリガーすることができる：
【０１００】
−第１データがＱｏＳ グループに到着する時。即ち、新しいデータがＱｏＳグループの空いたバッファーに到着した時である。
【０１０１】
−第１データが該当ＱｏＳグループに属するＲＢのうちの１つに到達する時。即ち、該当ＱｏＳグループに属するＲＢの空いたバッファーに新しいデータが到着した時である。
【０１０２】
ＱｏＳ ＢＳＲがトリガーされる時、ＵＥは各ＱｏＳに対して、該当ＱｏＳに属するＲＢの送信に利用可能なデータ量を計算することができる。これをＱｏＳ_ＢＳという。
【０１０３】
全てのＱｏＳグループに対するＱｏＳ_ＢＳを計算した後、ＵＥは各ＱｏＳに対するＱｏＳ ＩＤ及びＱｏＳ_ＢＳを含めることにより、ＱｏＳ ＢＳＲを構成することができる。ＱｏＳ ＢＳＲ内に、ＵＥはＱｏＳの減少順にＱｏＳ ＩＤ及びＱｏＳ_ＢＳのセットを含める。
【０１０４】
ＵＬグラントにおいて、空間不足によりＱｏＳ ＢＳＲが切断される(ｔｒｕｎｃａｔｅｄ)場合、ＵＥはＵＬグラント内の残留空間に適合するセットまでＱｏＳ ＩＤ及びＱｏＳ_ＢＳのセットを含める。ＱｏＳ ＢＳＲを構成した後、ＵＥはこれをｅＮＢに送信する。
【０１０５】
図７はＱｏＳ ＢＳＲの例を示す。
【０１０６】
ＵＥは対応するＱｏＳ ＩＤと共に５つのＲＢを有するように設定される。ＱｏＳ ＩＤの値が低いほどＱｏＳが高いことを意味する。
【０１０７】
ＱｏＳ ＢＳＲがトリガーされる時、ＵＥはＱｏＳごとにＱｏＳ_ＢＳを計算する。
【０１０８】
ＵＥは各ＱｏＳに対するＱｏＳ_ＢＳを計算した後、ＵＥは該当ＱｏＳ ＩＤとこれに対応するＱｏＳ_ＢＳを含むことにより、ＱｏＳが減少する順にＱｏＳ ＢＳＲを構成する。
【０１０９】
上記方法のための装置
【０１１０】
図８は、本発明の実施例に係る通信装置のブロック図である。
【０１１１】
図８に示した装置は、メカニズムを実施するように適応された端末(ＵＥ)及び／又はｅＮＢであるが、これは同様の動作を行うどの装置であってもよい。
【０１１２】
図８に示したように、装置はＤＳＰ／マイクロプロセッサ１１０とＲＦモジュール(送受信器)１３５を備える。ＤＳＰ／マイクロプロセッサ１１０は送受信器１３５と電気的に転結されて送受信器１３５を制御する。装置は、設計者の選択によって、さらに電力管理モジュール１５０、バッテリー１５５、ディスプレイ１１５、キーパッド１２０、ＳＩＭカード１２５、メモリ装置１３０、スピーカー１４５及び入力装置１５０を含む。
【０１１３】
特に、図８は、ネットワークから要請メッセージを受信するように構成された受信器１３５とネットワークへ送受信タイミング情報を送信するように構成された送信器１３５を備えるＵＥを示している。これらの受信器と送信器は送受信器１３５を構成する。ＵＥはさらに送受信器トランシーバー(受信器と送信器)１３５に転結されたプロセッサ１１０を備える。
【０１１４】
また、図８はＵＥに要請メッセージを送信するように構成された送信器１３５とＵＥから送受信タイミング情報を受信するように構成された受信器１３５を備えるネットワーク装置を示している。これらの送信器と受信器は送受信器１３５を構成する。ネットワークはさらに送信器と受信器に転結されたプロセッサ１１０を備える。プロセッサ１１０は送受信タイミング情報に基づいて遅延を計算できる。
【０１１５】
図９は本発明の一実施例による端末の構成を示す概略図である。
【０１１６】
図９に示したように、この実施例による端末は、ｅＮｏｄｅ Ｂから特定のメッセージ上で上りリンクグラント信号を受信するための受信(Ｒｘ)モジュール１１０１と、受信されたＵＬグラント信号を使用してｅＮｏｄｅ Ｂでデータを送信するための送信(Ｔｘ)モジュール１１０２と、ランダムアクセスプロセスで送信される上りリンクデータを貯蔵するＭｓｇ３バッファー１１０３と、端末の上りリンクデータ送信を制御するためのＨＡＲＱエンティティー１１０４とを含む。
【０１１７】
特に、多重化及びアセンブリエンティティー１１０５は、論理チャネル優先順位情報を有するＵＬグラントに基づいて、データユニットの上述したような構成を行うことができる。
【０１１８】
なお、この実施例によるＨＡＲＱエンティティー１１０４は、多重化及びアセンブリエンティティー１１０５又はＭｓｇ３バッファー１１０３から得たデータを特定のＨＡＲＱプロセス１１０６に伝達し、ＨＡＲＱエンティティーはＴｘモジュール１１０２を介して多重化及びアセンブリエンティティー１１０５又はＭｓｇ３バッファー１１０３から得たデータを送信するように、特定のＨＡＲＱプロセス１１０６を制御することができる。
【０１１９】
図９に示したＵＥの構成において、Ｔｘモジュール１１０２及びＲｘモジュール１１０１は、物理階層プロセシングモジュール１１０８として構成され、ＨＡＲＱエンティティー１１０４、多重化及びアセンブリエンティティー１１０５及び１つ以上のＨＡＲＱプロセス１１０６は、ＭＡＣ階層モジュール１１０９として構成される。しかし、本発明はこれに限らない。ＨＡＲＱプロセス１１０６に対応するＭｓｇ３バッファー１１０３及びＨＡＲＱバッファー１１０７は、任意の貯蔵媒体を使用して具現できる。
【０１２０】
当該技術分野における当業者であれば、下記の特許請求の範囲に記載された本発明の思想及び領域から外れない範囲内で本発明を多様に修正及び変更することができる。従って、添付する特許請求の範囲及びその等価的範囲内での本発明の変更と変化は本発明の範囲に属する。
【０１２１】
以上説明した実施例は、本発明の構成要素及び特徴を所定の形態として結合したものである。各構成要素または特徴は、別途の明示的な言及がない限り、選択的なものとして考慮しなければならない。各構成要素または特徴は、他の構成要素や特徴と結合しない形態として実施することもできる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、または、他の実施例の対応する構成または特徴に取って代わることもできる。特許請求の範囲で明示的な引用関係を有しない請求項を結合して実施例を構成したり、出願後の補正によって新しい請求項として含めることもできることは自明である
【０１２２】
本発明の実施例において、基地局によって行われると説明された特定動作は、基地局の上位ノードにより行われることもできる。即ち、基地局を含む多数のネットワークノード(ｎｅｔｗｏｒｋ ｎｏｄｅｓ)からなるネットワークで端末との通信のために行われる種々の動作は、基地局または基地局以外の他のネットワークノードによって行われることができる。この時、‘基地局’は‘固定局(ｆｉｘｅｄ ｓｔａｔｉｏｎ)’、‘Ｎｏｄｅ Ｂ’、‘ＢＳ(Ｂａｓｅ Ｓｔａｔｉｏｎ)’、‘アクセスポイント(ａｃｃｅｓｓ ｐｏｉｎｔ)’、‘ｇＮＢ’などの用語に代替可能である。
【０１２３】
上述した本発明の実施例は多様な手段、例えば、ハードウェア、ファームウエア(ｆｉｒｍｗａｒｅ)、ソフトウェア又はそれらの組合せなどによって具現できる。
【０１２４】
ハードウェアによる具現の場合、本発明の実施例による方法は、一つ又はそれ以上のＡＳＩＣｓ(Ａｐｐｌｉｃａｔｉｏｎ Ｓｐｅｃｉｆｉｃ Ｉｎｔｅｇｒａｔｅｄ Ｃｉｒｃｕｉｔｓ)、ＤＳＰｓ(Ｄｉｇｉｔａｌ Ｓｉｇｎａｌ Ｐｒｏｃｅｓｓｏｒｓ)、ＤＳＰＤｓ(Ｄｉｇｉｔａｌ Ｓｉｇｎａｌ Ｐｒｏｃｅｓｓｉｎｇ Ｄｅｖｉｃｅｓ)、ＰＬＤｓ(Ｐｒｏｇｒａｍｍａｂｌｅ Ｌｏｇｉｃ Ｄｅｖｉｃｅｓ)、ＦＰＧＡｓ(Ｆｉｅｌｄ Ｐｒｏｇｒａｍｍａｂｌｅ Ｇａｔｅ Ａｒｒａｙｓ)、プロセッサ、コントローラー、マイクロコントローラー、マイクロプロセッサなどによって具現できる。
【０１２５】
ファームウエア又はソフトウェアによる具現の場合、本発明の実施例による方法は以上で説明した機能又は動作を行う装置、過程又は関数などの形態に具現できる。ソフトウェアコードはメモリユニットに記憶され、プロセッサによって駆動されることができる。メモリユニットはプロセッサの内部又は外部に位置し、既に知られた多様な手段によってプロセッサとデータを取り交わすことができる。
【０１２６】
本発明は、本発明の特徴を逸脱しない範囲で他の特定の形態で具体化できるのは当業者には自明である。したがって、上記の詳細な説明は、いずれの面においても制約的に解釈してはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０１２７】
上述した方法は、３ＧＰＰシステムに適用された例を中心として説明したが、本発明の３ＧＰＰシステム以外にも多様な移動通信システム、例えばＩＥＥＥシステムにも適用可能である。
【図１】
2019530358.tif 000003
【図２】
2019530358.tif 000004
【図３】
2019530358.tif 000005
【図４】
2019530358.tif 000006
【図５】
2019530358.tif 000007
【図６】
2019530358.tif 000008
【図７】
2019530358.tif 000009
【図８】
2019530358.tif 000010
【図９】
2019530358.tif 000011
【国際調査報告】
2019530358.tif 000012
2019530358.tif 000013
2019530358.tif 000014
2019530358.tif 000015
2019530358.tif 000016